(57)【要約】【課題】現行放送への影響を抑制しつつ、現行放送とは異なる方式のデータ信号の送信に関する制御信号を送信する。【解決手段】本発明に係る送信装置１０は、第１の方式により送信されるデータ信号から第１の放送信号を生成する信号生成部１１と、第２の方式により送信されるデータ信号から第２の放送信号を生成する信号生成部１２と、第２の方式によるデータ信号の送信に関する制御信号を生成する付加信号生成部１３と、第２の放送信号の電力レベルを第１の放送信号の電力レベルよりも低くするレベル調整部１４と、電力レベルの調整後の第１の放送信号と第２の放送信号とを合成する合成部１５と、合成後の信号と制御信号とを用いてＯＦＤＭフレームを構成するＯＦＤＭフレーム構成部１６と、ＯＦＤＭフレームをＯＦＤＭ変調して送信するＯＦＤＭ変調部１７とを備え、ＯＦＤＭフレーム構成部１６は、ＡＣキャリアに制御信号を割り当てる。【選択図】図１
2020167678.tif 000002
【特許請求の範囲】
【請求項１】
第１の方式の信号と、第２の方式の信号とを多重して送信する送信装置であって、
前記第１の方式により送信されるデータ信号から第１の放送信号を生成する第１の信号生成部と、
前記第２の方式により送信されるデータ信号から、前記第１の放送信号と同じ周波数帯域の第２の放送信号を生成する第２の信号生成部と、
前記第２の方式によるデータ信号の送信に関する制御信号を生成する第３の信号生成部と、
前記第２の放送信号の電力レベルが、前記第１の放送信号の電力レベルよりも低くなるように、前記第１の放送信号および前記第２の放送信号の電力レベルを調整するレベル調整部と、
前記レベル調整部による電力レベルの調整後の第１の放送信号と第２の放送信号とを合成する合成部と、
前記合成部による合成後の信号と、前記第３の信号生成部により生成された制御信号とを用いてＯＦＤＭフレームを構成するＯＦＤＭフレーム構成部と、
前記ＯＦＤＭフレーム構成部により構成されたＯＦＤＭフレームをＯＦＤＭ変調して送信するＯＦＤＭ変調部と、を備え、
前記ＯＦＤＭフレーム構成部は、前記第１の方式において付加的な情報を伝送するＡＣキャリアに前記制御信号を割り当てる、送信装置。
【請求項２】
請求項１に記載の送信装置において、
前記制御信号は、１つのＡＣキャリアに割り当て可能である、送信装置。
【請求項３】
請求項２に記載の送信装置において、
前記ＡＣキャリアは、複数設けられ、
前記ＯＦＤＭフレーム構成部は、前記制御信号を２以上の前記ＡＣキャリアそれぞれに割り当てる、送信装置。
【請求項４】
請求項１から３のいずれか一項に記載の送信装置において、
前記第１の放送信号および前記第２の放送信号の周波数帯域は、複数のセグメントにより構成され、
前記レベル調整部は、前記セグメントごとに、前記第１の放送信号と前記第２の放送信号との電力比を調整可能であり、
前記制御信号には、前記セグメントごとの、前記第１の放送信号と前記第２の放送信号との電力比を示す信号が含まれる、送信装置。
【請求項５】
請求項１から４のいずれか一項に記載の送信装置から送信された信号を受信する受信装置であって、
前記ＡＣキャリアに割り当てられた制御信号を取得し、該取得した制御信号を用いて受信信号から前記第２の方式により送信されたデータ信号を取得する、受信装置。
【請求項６】
請求項５に記載の受信装置において、
２つの異なる信号が重畳された１つの信号について一方を干渉成分とみなして除去する復調方式、または、２つの信号成分を元に参照信号を複製して復調する復調方式により、前記受信信号から前記第１の方式により送信されたデータ信号および前記第２の方式により送信されたデータ信号を取得する、受信装置。
【発明の詳細な説明】
【技術分野】
【０００１】
本発明は、送信装置および受信装置に関する。
【背景技術】
【０００２】
我が国の現行の地上デジタル放送では、ＩＳＤＢ−Ｔ（Integrated Services Digital Broadcasting-Terrestrial）方式が用いられている。現行方式の放送（以下、「現行放送」と称する。）から次世代方式の放送（以下、「次世代放送」と称する。）へ段階的に移行させる際には、両方式の放送を併存させる必要がある。
【０００３】
特許文献１には、現行放送の放送信号と次世代放送の放送信号とを多重して送信する技術が開示されている。特許文献１に開示されている技術では、送信装置は、現行放送の放送信号と次世代放送の放送信号とを同一の周波数および時間帯において送信する。ここで、送信装置は、次世代放送の放送信号の電力を、現行放送の放送信号の電力と比べて、ノイズとみなせる程度に低くする。受信装置は、送信装置から送信された信号を受信し復調などの処理を行うことで、受信信号から現行放送の放送信号を取得する。ここで、受信装置は、次世代放送の放送信号の電力は現行放送の放送信号の電力と比べて、ノイズとみなせる程度に低いので、受信信号には現行放送の放送信号のみが含まれるものとして処理する。そして、受信装置は、取得した現行放送の放送信号を受信信号から相殺して復調などの処理を行うことで、次世代放送の放送信号を取得する。
【先行技術文献】
【特許文献】
【０００４】
【特許文献１】特開２０１８−６７８２５号公報
【発明の概要】
【発明が解決しようとする課題】
【０００５】
現行のＩＳＤＢ−Ｔ方式では、ＩＳＤＢ−Ｔ方式のデータ信号の送信に関する制御信号（ＴＭＣＣ（Transmission and Multiplexing Configuration and Control）信号）が、予め定められたキャリア（ＴＭＣＣキャリア）に割り当てられて送信される。受信装置では、ＴＭＣＣキャリアで送信されたＴＭＣＣ信号を用いて復調などの処理を行い、受信信号からＩＳＤＢ−Ｔ方式のデータ信号を取得することができる。
【０００６】
次世代方式においても、受信信号から次世代放送により送信されるデータ信号を取得するためには、次世代方式のデータ信号のキャリア変調方式、誤り訂正符号化方式など、次世代方式のデータ信号の送信に関する制御信号を、受信装置に送信する必要がある。ＩＳＤＢ−Ｔ方式のＴＭＣＣキャリアを利用して、次世代方式の制御信号を送信する構成も考えられるが、このような構成を実現するためには、現行放送の変更が必要となるため好ましくない。
【０００７】
特許文献１においては、次世代方式のデータ信号の送信に関する制御信号の伝送については十分な考慮がなされていない。
【０００８】
本発明の目的は、上述した課題を解決し、現行放送への影響を抑制しつつ、現行放送とは異なる方式のデータ信号の送信に関する制御信号を送信することができる送信装置および受信装置を提供することにある。
【課題を解決するための手段】
【０００９】
上記課題を解決するため、本発明に係る送信装置は、第１の方式の信号と、第２の方式の信号とを多重して送信する送信装置であって、前記第１の方式により送信されるデータ信号から第１の放送信号を生成する第１の信号生成部と、前記第２の方式により送信されるデータ信号から、前記第１の放送信号と同じ周波数帯域の第２の放送信号を生成する第２の信号生成部と、前記第２の方式によるデータ信号の送信に関する制御信号を生成する第３の信号生成部と、前記第２の放送信号の電力レベルが、前記第１の放送信号の電力レベルよりも低くなるように、前記第１の放送信号および前記第２の放送信号の電力レベルを調整するレベル調整部と、前記レベル調整部による電力レベルの調整後の第１の放送信号と第２の放送信号とを合成する合成部と、前記合成部による合成後の信号と、前記第３の信号生成部により生成された制御信号とを用いてＯＦＤＭフレームを構成するＯＦＤＭフレーム構成部と、前記ＯＦＤＭフレーム構成部により構成されたＯＦＤＭフレームをＯＦＤＭ変調して送信するＯＦＤＭ変調部と、を備え、前記ＯＦＤＭフレーム構成部は、前記第１の方式において付加的な情報を伝送するＡＣキャリアに前記制御信号を割り当てる。
【００１０】
また、本発明に係る送信装置において、前記制御信号は、１つのＡＣキャリアに割り当て可能であることが好ましい。
【００１１】
また、本発明に係る送信装置において、前記ＡＣキャリアは、複数設けられ、前記ＯＦＤＭフレーム構成部は、前記制御信号を２以上の前記ＡＣキャリアそれぞれに割り当てることが好ましい。
【００１２】
また、本発明に係る送信装置において、前記第１の放送信号および前記第２の放送信号の周波数帯域は、複数のセグメントにより構成され、前記レベル調整部は、前記セグメントごとに、前記第１の放送信号と前記第２の放送信号との電力比を調整可能であり、前記制御信号には、前記セグメントごとの、前記第１の放送信号と前記第２の放送信号との電力比を示す信号が含まれることが好ましい。
【００１３】
また、上記課題を解決するため、本発明に係る受信装置は、上述したいずれかの送信装置から送信された信号を受信する受信装置であって、前記ＡＣキャリアに割り当てられた制御信号を取得し、該取得した制御信号を用いて受信信号から前記第２の方式により送信されたデータ信号を取得する。
【００１４】
また、本発明に係る受信装置において、２つの異なる信号が重畳された１つの信号について一方を干渉成分とみなして除去する復調方式、または、２つの信号成分を元に参照信号を複製して復調する復調方式により、前記受信信号から前記第１の方式により送信されたデータ信号および前記第２の方式により送信されたデータ信号を取得することが好ましい。
【発明の効果】
【００１５】
本発明に係る送信装置および受信装置によれば、現行放送への影響を抑制しつつ、現行放送とは異なる方式のデータ信号の送信に関する制御信号を送信することができる。
【図面の簡単な説明】
【００１６】
【図１】本発明の一実施形態に係る送信装置の構成例を示すブロック図である。
【図２】図１に示すＩＳＤＢ−Ｔデータキャリア信号生成部および新規放送データキャリア信号生成部が生成する信号の一例を示す図である。
【図３】図１に示すＩＳＤＢ−Ｔデータキャリア信号生成部の構成例を示す図である。
【図４】図１に示す付加信号生成部の構成例を示す図である。
【図５】図１に示すレベル調整部によるレベル調整後の信号を示す図である。
【図６】図１に示す合成部による合成後の信号を示す図である。
【図７】図４に示すＡＣ信号生成部の構成例を示す図である。
【図８】本発明の一実施形態に係る受信装置の構成例を示す図である。
【図９】本発明の一実施形態に係る受信装置の他の構成例を示す図である。
【図１０】図９に示す参照信号生成部の構成例を示す図である。
【図１１】図９に示すキャリア復調部の構成例を示す図である。
【図１２】図８および図９に示す付加信号復調部の構成例を示す図である。
【図１３】図１２に示すＡＣ信号復調部の構成例を示す図である。
【図１４Ａ】次世代放送が階層構造を有さない場合の、次世代方式のＴＭＣＣ信号の構成例を示す図である。
【図１４Ｂ】図１４Ａに示す次世代伝送パラメータ情報の構成例を示す図である。
【図１４Ｃ】図１４Ｂに示すキャリア変調のビット割り当ての一例を示す図である。
【図１４Ｄ】図１４Ｂに示すコンスタレーション識別のビット割り当ての一例を示す図である。
【図１４Ｅ】図１４Ｂに示す誤り訂正符号長のビット割り当ての一例を示す図である。
【図１４Ｆ】図１４Ｂに示すＬＤＰＣ符号化率のビット割り当ての一例を示す図である。
【図１４Ｇ】図１４Ａに示すＦＥＣブロックポインタのビット割り当ての一例を示す図である。
【図１４Ｈ】図１４Ａに示す電力比情報のビット割り当ての一例を示す図である。
【図１５Ａ】次世代放送が階層構造を有する場合の、次世代方式のＴＭＣＣ信号の構成例を示す図である。
【図１５Ｂ】図１５Ａに示す階層伝送パラメータ情報の構成例を示す図である。
【図１６】次世代放送が階層構造を有し、セグメントごとに電力比を調整可能である場合の、次世代方式のＴＭＣＣ信号の構成例を示す図である。
【発明を実施するための形態】
【００１７】
以下、本発明の実施の形態について図面を参照して説明する。
【００１８】
図１は、本発明の一実施形態に係る送信装置１０の構成例を示す図である。本実施形態に係る送信装置１０は、異なる放送方式の信号をＬＤＭ（Layered Division Multiplexing）で多重して送信するものである。ＬＤＭとは、電力に差をつけて複数の領域で信号を多重する方式である。以下では、送信装置１０は、現行の地上デジタル放送（現行放送）の方式であるＩＳＤＢ−Ｔ方式（第１の方式）の信号と、新規放送で用いられる次世代方式（第２の方式）の信号とをＬＤＭで多重して送信する例を用いて説明する。なお、現行放送への影響を抑えるために、次世代方式の放送（次世代放送）においても、ＦＦＴ（Fast Fourier Transform）サイズ、ＧＩ（Guard Interval）比およびクロックなどは、現行放送と同じであるとする。
【００１９】
図１に示す送信装置１０は、ＩＳＤＢ−Ｔデータキャリア信号生成部１１と、新規放送データキャリア信号生成部１２と、付加信号生成部１３と、レベル調整部１４と、合成部１５と、ＯＦＤＭフレーム構成部１６と、ＯＦＤＭ変調部１７とを備える。ＩＳＤＢ−Ｔデータキャリア信号生成部１１は、第１の信号生成部の一例である。新規放送データキャリア信号生成部１２は、第２の信号生成部の一例である。付加信号生成部１３は、第３の信号生成部の一例である。
【００２０】
ＩＳＤＢ−Ｔデータキャリア信号生成部１１は、ＩＳＤＢ−Ｔ方式により送信されるコンテンツ（ＩＳＤＢ−Ｔコンテンツ）のデータ信号から、１チャンネルに割り当てられた周波数帯域内の所定の周波数帯域のデータキャリア信号（以下、「第１の放送信号」と称する。）を生成し、レベル調整部１４に出力する。
【００２１】
図２は、ＩＳＤＢ−Ｔデータキャリア信号生成部１１および新規放送データキャリア信号生成部１２が生成する信号の一例を示す図である。なお、以下の図では、白抜きの矩形で示した信号が、ＩＳＤＢ−Ｔデータキャリア信号生成部１１が生成する信号（第１の放送信号）であり、右斜め上がりのハッチングを付した矩形で示した信号が、新規放送データキャリア信号生成部１２が生成する信号（後述する「第２の放送信号」）であるものとする。また、矩形の高さは信号の電力レベルを示すものとする。
【００２２】
ＩＳＤＢ−Ｔでは、１チャンネル分の周波数帯域として約６ＭＨｚが割り当てられ、１チャンネル分の周波数帯域が１４のセグメントに分割される。ＩＳＤＢ−Ｔデータキャリア信号生成部１１は、図２に示すように、１３セグメント分の周波数帯域（約５．５７ＭＨｚ）の信号を第１の放送信号として生成する。
【００２３】
ＩＳＤＢ−Ｔでは、階層伝送（以下、「周波数方向の階層伝送」と称することがある。）が利用されており、同一チャンネルの中で、画質と雑音耐性の異なる複数のサービスが提供されている。具体的には、伝送帯域の中央にある１セグメントを移動受信端末（モバイル端末）向けの移動受信用セグメントとし、移動受信用セグメントを用いて、強い雑音耐性の映像を送信するサービス（いわゆる、ワンセグ放送）が提供される。また、他の１２セグメントを固定受信端末（家庭用テレビなど）向けの固定受信用セグメントとし、固定受信用セグメントを用いて高画質な映像を送信するサービス（ハイビジョン放送）が提供される。
【００２４】
図３は、ＩＳＤＢ−Ｔデータキャリア信号生成部１１の構成例を示す図である。
【００２５】
図３に示すＩＳＤＢ−Ｔデータキャリア信号生成部１１は、誤り訂正符号化部１１１ａ，１１１ｂ，・・・と、キャリア変調部１１２ａ，１１２ｂ，・・・と、帯域合成インターリーブ部１１３とを備える。誤り訂正符号化部１１１ａおよびキャリア変調部１１２ａは、階層伝送における、例えば、移動受信端末向けのサービスの階層（以下、「Ａ階層」と称する。）に対応して設けられる。誤り訂正符号化部１１１ｂおよびキャリア変調部１１２ｂは、階層伝送における、例えば、固定受信端末向けのサービスの階層（以下、「Ｂ階層」と称する。）に対応して設けられる。このように、誤り訂正符号化部１１１およびキャリア変調部１１２は、階層伝送の階層ごとに設けられる。
【００２６】
誤り訂正符号化部１１１ａは、Ａ階層のデータ信号が入力され、入力されたデータ信号に対して、畳み込み符号化などの所定の誤り訂正符号化を行い、誤り訂正符号化後の信号をキャリア変調部１１２ａに出力する。
【００２７】
キャリア変調部１１２ａは、誤り訂正符号化部１１１ａから出力された信号に対して、ＱＰＳＫ（Quadrature Phase Shift Keying），１６ＱＡＭ（Quadrature Amplitude Modulation），６４ＱＡＭなどの所定のキャリア変調を行い、キャリア変調後の信号を帯域合成インターリーブ部１１３に出力する。
【００２８】
帯域合成インターリーブ部１１３は、キャリア変調部１１２ａ，１１２ｂ，・・・から出力された各階層の信号を合成して、１３セグメントからなる所定の周波数帯域のデータキャリア信号（第１の放送信号）としてレベル調整部１４に出力する。現行放送では、帯域合成インターリーブ部１１３は、中央の１セグメントに移動受信用のデータを配置し、残りの１２セグメントに固定受信用のデータを配置する。
【００２９】
図１を再び参照すると、新規放送データキャリア信号生成部１２は、次世代方式により送信されるコンテンツ（新規放送コンテンツ）のデータ信号から、図２に示すように、第１の放送信号と同じ周波数帯域のデータキャリア信号（以下、「第２の放送信号」と称する。）を生成し、レベル調整部１４に出力する。
【００３０】
新規放送データキャリア信号生成部１２の構成は、次世代方式で用いられる誤り訂正符号化、キャリア変調などが適用される点以外は、ＩＳＤＢ−Ｔデータキャリア信号生成部１１の構成と同様であるため説明を省略する。
【００３１】
付加信号生成部１３は、ＩＳＤＢ−Ｔデータキャリア信号生成部１１および新規放送データキャリア信号生成部１２が生成するデータキャリア信号に付加する付加信号を生成し、ＯＦＤＭフレーム構成部１６に出力する。付加信号には、伝搬路を推定するためのパイロット信号が含まれる。また、付加信号には、ＩＳＤＢ−Ｔ方式で送信されるデータ信号のキャリア変調方式、誤り訂正符号化方式などを示すＴＭＣＣ信号（以下、「ＩＳＤＢ−Ｔ方式のＴＭＣＣ信号」と称する。）が含まれる。ＩＳＤＢ−Ｔ方式のＴＭＣＣ信号は、ＩＳＤＢ−Ｔ方式において予め定められたキャリア（ＴＭＣＣキャリア）で送信される。
【００３２】
また、付加信号には、ＩＳＤＢ−Ｔ方式において予め定められたキャリア（ＡＣ（Auxiliary Channel）キャリア）で送信されるＡＣ信号が含まれる。付加信号生成部１３が生成するＡＣ信号には、ＩＳＤＢ−Ｔ方式における、緊急地震速報などの付加的な情報に関するＡＣ信号（以下、「ＩＳＤＢ−Ｔ方式のＡＣ信号」と称する。）が含まれる。また、本実施形態においては、付加信号生成部１３が生成するＡＣ信号には、次世代方式のデータ信号の送信に関する制御信号（以下、「次世代方式のＴＭＣＣ信号」と称する。）が含まれる。このように、付加信号生成部１３は、次世代方式（第２の方式）によるデータ信号の送信に関する制御信号（次世代方式のＴＭＣＣ信号）を生成する。次世代方式のＴＭＣＣ信号には、次世代方式で送信されるデータ信号のキャリア変調方式、次世代方式で送信されるデータ信号の誤り訂正符号化方式、第１の放送信号と第２の放送信号との電力比などが含まれる。
【００３３】
図４は、付加信号生成部１３の構成例を示す図である。
【００３４】
図４に示す付加信号生成部１３は、ＴＭＣＣ情報ビット生成部１３１と、同期ビット生成部１３２と、ＴＭＣＣ信号生成部１３３と、パイロット信号生成部１３４と、ＡＣ信号生成部１３５とを備える。
【００３５】
ＴＭＣＣ情報ビット生成部１３１は、ＩＳＤＢ−Ｔ方式によるデータ信号の送信に関するＩＳＤＢ−Ｔ  ＴＭＣＣ情報が入力される。ＴＭＣＣ情報ビット生成部１３１は、入力されたＩＳＤＢ−Ｔ  ＴＭＣＣ情報に応じた情報ビットを生成し、ＴＭＣＣ信号生成部１３３に出力する。
【００３６】
同期ビット生成部１３２は、ＴＭＣＣ信号の一部となる同期ビットを生成し、ＴＭＣＣ信号生成部１３３に出力する。
【００３７】
ＴＭＣＣ信号生成部１３３は、ＴＭＣＣ情報ビット生成部１３１から出力された情報ビット、および、同期ビット生成部１３２から出力された同期ビットを含むＴＭＣＣ信号（ＩＳＤＢ−Ｔ方式のＴＭＣＣ信号）を生成し、ＯＦＤＭフレーム構成部１６に出力する。
【００３８】
パイロット信号生成部１３４は、ＩＳＤＢ−Ｔ  ＴＭＣＣ情報が入力される。パイロット信号生成部１３４は、入力されたＩＳＤＢ−Ｔ  ＴＭＣＣ情報に応じたパイロット信号（例えば、ＳＰ（Scattered Pilot）信号）を生成し、ＯＦＤＭフレーム構成部１６に出力する。
【００３９】
ＡＣ信号生成部１３５は、ＩＳＤＢ−Ｔ方式における緊急地震速報などの付加的な情報（地震動警報情報）に関するＩＳＤＢ−Ｔ  ＡＣ情報が入力される。また、ＡＣ信号生成部１３５は、次世代方式によるデータ信号の送信に関するパラメータ（キャリア変調方式、誤り訂正符号化方式、第１の放送信号と第２の放送信号との電力比など）を示す新規放送情報が入力される。ＡＣ信号生成部１３５は、入力されたＩＳＤＢ−Ｔ  ＡＣ情報および新規放送情報に基づき、ＩＳＤＢ−Ｔ方式のＡＣ信号および次世代方式のＴＭＣＣ信号を含むＡＣ信号を生成し、ＯＦＤＭフレーム構成部１６に出力する。ＡＣ信号生成部１３５によるＡＣ信号の生成の詳細については後述する。
【００４０】
図１を再び参照すると、レベル調整部１４は、ＩＳＤＢ−Ｔデータキャリア信号生成部１１により生成された、ＩＳＤＢ−Ｔ方式におけるデータキャリア信号（第１の放送信号）および新規放送データキャリア信号生成部１２により生成された、次世代方式におけるデータキャリア信号（第２の放送信号）の電力レベルを調整する。具体的には、レベル調整部１４は、図５に示すように、第２の放送信号の電力レベルが、第１の放送信号の電力レベルよりも低くなるように、第１の放送信号および第２の放送信号の電力レベルを調整する。
【００４１】
例えば、レベル調整部１４は、第２の放送信号の電力レベルが、第１の放送信号の電力レベルよりも同一チャンネル干渉の混信保護比以上低くなるように、電力レベルを調整する。こうすることで、受信側では、第１の放送信号に対して、第２の放送信号を雑音とみなすことができる。
【００４２】
レベル調整部１４は、例えば、図５に示すように、各セグメントにおける第１の放送信号の電力レベルおよび第２の放送信号の電力レベルを一定にする。すなわち、レベル調整部１４は、各セグメントにおける第１の放送信号と第２の放送信号との電力比が一定となるように、第１の放送信号および第２の放送信号の電力レベルを調整する。レベル調整部１４は、セグメントごとに、第１の放送信号と第２の放送信号との電力レベルを調整してもよい。例えば、レベル調整部１４は、第１の放送信号については、各セグメントで電力レベルを一定とし、第２の放送信号については、移動受信用セグメントにおける電力レベルを固定受信用セグメントにおける電力レベルよりも高くしてもよい。
【００４３】
一般に、移動受信端末向けの放送は、固定受信端末向けの放送と比較して、所要Ｃ／Ｎが小さい。すなわち、移動受信用セグメントにおける所要Ｃ／Ｎは、固定受信用セグメントにおける所要Ｃ／Ｎよりも小さい。したがって、移動受信用セグメントにおける第２の放送信号の電力レベルを、固定受信用セグメントにおける第２の放送信号における電力レベルよりも大きくすることができる。すなわち、移動受信用セグメントにおける第１の放送信号に対する第２の放送信号の電力比を、固定受信用セグメントにおける第１の放送信号に対する第２の放送信号の電力比よりも大きくすることができる。
【００４４】
図１を再び参照すると、レベル調整部１４は、レベル調整後のＩＳＤＢ−Ｔ方式におけるデータキャリア信号および次世代方式におけるデータキャリア信号を合成部１５に出力する。
【００４５】
合成部１５は、レベル調整部１４から出力されたレベル調整後のＩＳＤＢ−Ｔ方式におけるデータキャリア信号（第１の放送信号）と、次世代方式におけるデータキャリア信号（第２の放送信号）とを合成する。合成部１５による合成後の信号は、図６に示すように、１チャンネル分の周波数帯域内の同じ周波数帯域で、ＩＳＤＢ−Ｔ方式におけるデータキャリア信号と、ＩＳＤＢ−Ｔ方式におけるデータキャリア信号よりも電力レベルの低い次世代方式におけるデータキャリア信号とが多重された信号となる。
【００４６】
図１を再び参照すると、合成部１５は、ＩＳＤＢ−Ｔ方式におけるデータキャリア信号と、次世代方式におけるデータキャリア信号との合成後のデータキャリア信号をＯＦＤＭフレーム構成部１６に出力する。
【００４７】
ＯＦＤＭフレーム構成部１６は、合成部１５から出力されたデータキャリア信号を用いてＯＦＤＭフレームを構成する。具体的には、ＯＦＤＭフレーム構成部１６は、合成部１５から出力されたデータキャリア信号に、付加信号生成部１３から出力された付加信号を付加して、ＯＦＤＭフレームを構成する。
【００４８】
ＩＳＤＢ−Ｔ方式では、データ信号を配置するキャリア（データキャリア）、パイロット信号を配置するキャリア（パイロットキャリア）、ＴＭＣＣ信号を配置するキャリア（ＴＭＣＣキャリア）およびＡＣ信号を配置するキャリア（ＡＣキャリア）などが予め定められている。ＯＦＤＭフレーム構成部１６は、付加信号生成部１３から出力されたパイロット信号を予め定められたパイロットキャリアに割り当てる。また、ＯＦＤＭフレーム構成部１６は、付加信号生成部１３から出力されたＴＭＣＣ信号（ＩＳＤＢ-Ｔ方式のＴＭＣＣ信号）を予め定められたＴＭＣＣキャリアに割り当てる。また、ＯＦＤＭフレーム構成部１６は、付加信号生成部１３から出力されたＡＣ信号を予め定められたＡＣキャリアに割り当てる。上述したように、ＡＣキャリアは、ＩＳＤＢ−Ｔ方式において、付加的な情報が伝送されるキャリアである。また、付加信号生成部１３が生成するＡＣ信号には、次世代方式のＴＭＣＣ信号が含まれる。したがって、ＯＦＤＭフレーム構成部１６は、ＩＳＤＢ−Ｔ方式において付加的な情報を伝送するＡＣキャリアに、次世代方式のデータ信号の送信に関する制御信号（次世代方式のＴＭＣＣ信号）を割り当てる。
【００４９】
詳細は後述するが、現行のＩＳＤＢ−Ｔ方式では、ＡＣキャリアにはリザーブ領域として空き領域が存在する。ＯＦＤＭフレーム構成部１６は、この空き領域に次世代方式のデータ信号の送信に関する制御信号を割り当てる。こうすることで、現行放送への影響を抑制しつつ、次世代方式のデータ信号の送信に関する制御信号を伝送することができる。
【００５０】
ＯＦＤＭフレーム構成部１６は、構成したＯＦＤＭフレームをＯＦＤＭ変調部１７に出力する。
【００５１】
ＯＦＤＭ変調部１７は、ＯＦＤＭフレーム構成部１６から出力されたＯＦＤＭフレームをＯＦＤＭ変調して送信する。
【００５２】
次に、ＡＣ信号生成部１３５によるＡＣ信号の生成について説明する。
【００５３】
上述したように、ＩＳＤＢ−Ｔ方式の１チャンネル分のデータキャリア信号は、１３セグメントから構成される。また、ＩＳＤＢ−Ｔ方式の標準規格「地上デジタルテレビジョン放送の伝送方式  ＡＲＩＢ  ＳＴＤＢ３１  ２．２版」では、各セグメントに８本のＡＣキャリアが配置されること、セグメント番号０のセグメント（移動受信用セグメント）で地震動警報情報を伝送することが規定されている。したがって、他のセグメント番号のセグメントに配置されたＡＣキャリアは、地震動警報情報の伝送には用いられず、空き領域となっている。
【００５４】
ＩＳＤＢ−Ｔ方式においては、ＡＣ信号は、２０４ビット（Ｂ0〜Ｂ203）と規定されている。ビットＢ0（１ビット）には、ＡＣシンボルのための復調基準信号が割り当てられる。ビットＢ1〜Ｂ3（３ビット）には、ＡＣ信号の構成を識別するための構成識別が割り当てられる。また、ビットＢ4〜Ｂ203（２００ビット）には、地震動警報情報が割り当てられる。
【００５５】
上述したように、地震動警報情報は、セグメント番号０のセグメントで送信され、他のセグメント番号のセグメントでは送信されない。したがって、セグメント番号１〜セグメント番号１２のセグメントにおいては、ＡＣ信号のビットＢ4〜Ｂ203（２００ビット）は空き領域であり、次世代方式のＴＭＣＣ信号の送信に利用可能であることが分かる。
【００５６】
図７は、ＡＣ信号生成部１３５の構成例を示す図である。
【００５７】
図７に示すＡＣ信号生成部１３５は、ＡＣ情報ビット生成部１３５１，１３５４と、差集合巡回符号化部１３５２と、ＤＱＰＳＫ（Differential Quadrature Phase Shift Keying）変調部１３５３，１３５５とを備える。ＡＣ情報ビット生成部１３５１、差集合巡回符号化部１３５２およびＤＱＰＳＫ変調部１３５３は、セグメント番号０のセグメントに対応して設けられている。ＡＣ情報ビット生成部１３５４およびＤＱＰＳＫ変調部１３５５は、セグメント番号０以外のセグメントに対応して設けられている。
【００５８】
ＡＣ情報ビット生成部１３５１は、緊急地震速報に関するＩＳＤＢ−Ｔ  ＡＣ情報と、同期信号と、構成識別とが入力される。ＡＣ情報ビット生成部１３５１は、入力されたＩＳＤＢ−Ｔ  ＡＣ情報、同期信号および構成識別に応じた情報ビットを生成し、差集合巡回符号化部１３５２に出力する。同期信号は、構成識別と同期信号とを連結した信号が、ＴＭＣＣ信号（ＩＳＤＢ−Ｔ方式のＴＭＣＣ信号）に含まれる同期信号と同一の信号となるような信号である。こうすることで、受信側では、ＴＭＣＣ信号とＡＣ信号とをアナログ加算し、フレーム同期の受信感度の向上を図ることができる。
【００５９】
差集合巡回符号化部１３５２は、ＡＣ情報ビット生成部１３５１から出力された情報ビットに対して、差集合巡回符号化による誤り訂正符号化を行い、誤り訂正符号化後の信号をＤＱＰＳＫ変調部１３５３に出力する。
【００６０】
ＤＱＰＳＫ変調部１３５３は、差集合巡回符号化部１３５２から出力された信号に対して、ＤＱＰＳＫ方式によるキャリア変調を行い、キャリア変調後の信号をセグメント番号０のセグメント用のＡＣ信号としてＯＦＤＭフレーム構成部１６に出力する。
【００６１】
ＡＣ情報ビット生成部１３５４は、次世代方式によるデータ信号の送信に関するパラメータを示す新規放送情報と、同期信号と、構成識別とが入力される。ＡＣ情報ビット生成部１３５４は、入力された新規放送情報、同期信号および構成識別に応じた情報ビットを生成し、ＤＱＰＳＫ変調部１３５５に出力する。
【００６２】
従来の送信装置においては、セグメント番号０以外のセグメントでは情報が送信されない。そのため、従来の送信装置においては、ＡＣ情報ビット生成部１３５４には、新規放送情報の代わりに、スタッフィングが入力される。
【００６３】
ＤＱＰＳＫ変調部１３５５は、ＡＣ情報ビット生成部１３５４から出力された信号に対して、ＤＱＰＳＫ方式によるキャリア変調を行い、キャリア変調後の信号をセグメント番号０以外のセグメント用のＡＣ信号としてＯＦＤＭフレーム構成部１６に出力する。
【００６４】
次に、本実施形態に係る受信装置の構成について説明する。本実施形態に係る受信装置は、２つの異なる信号が重畳された１つの信号について一方を干渉成分とみなして除去する復調方式、または、２つの信号成分を元に参照信号を複製して復調する復調方式により、ＬＤＭで多重された信号を分離して取得（復調）することが可能である。２つの異なる信号が重畳された１つの信号について一方を干渉成分とみなして除去する復調方式としては、例えば、逐次干渉除去（ＳＩＣ：Successive Interference Canceller）方式がある。また、２つの信号成分を元に参照信号を複製して復調する復調方式としては、例えば、統合復調方式、最尤復号方式（ＭＬＤ：Maximum likelihood decoding）がある。逐次干渉除去方式とは、ＬＤＭにより多重された信号のうち、電力の高い階層の信号から順次に復調し、復調した信号を受信信号から除去して、他の階層の信号を復調する方式である。また、統合復調方式とは、ＬＤＭにより多重された複数の信号を一括して復調する方式である。また、最尤復号方式とは、取り得る信号点と受信信号の信号点との尤度を算出し、尤度の大きい（確率の大きい）信号点を選択していくことにより、信号を復調する方式である。以下では、逐次干渉除去方式を用いた受信装置の構成と、統合復調方式を用いた受信装置の構成とを説明する。
【００６５】
図８は、本発明の一実施形態に係る受信装置２０の構成例を示す図である。図８に示す受信装置２０は、逐次干渉除去方式を用いてＬＤＭにより多重された信号を復調するものである。
【００６６】
図８に示す受信装置２０は、ＯＦＤＭ復調部２１と、付加信号復調部２２と、伝搬路推定部２３と、等化部２４と、レベル調整部２５と、ＩＳＤＢ−Ｔキャリア復調部２６と、ＩＳＤＢ−Ｔ誤り訂正復号部２７と、ＩＳＤＢ−Ｔ再変調部２８と、ＩＳＤＢ−Ｔ除去部２９と、レベル調整部３１と、新規放送キャリア復調部３２と、新規放送誤り訂正復号部３３とを備える。
【００６７】
ＯＦＤＭ復調部２１は、送信装置１０から受信した受信信号が入力される。ＯＦＤＭ復調部２１は、入力された受信信号にＯＦＤＭ復調を施し、ＯＦＤＭ復調後の信号を、付加信号復調部２２、伝搬路推定部２３および等化部２４に出力する。
【００６８】
付加信号復調部２２は、ＯＦＤＭ復調部２１から出力された信号から、所定のキャリアに配置されている付加信号の復調を行う。具体的には、付加信号復調部２２は、ＩＳＤＢ−Ｔ方式で予め定められているＴＭＣＣキャリアに配置されているＴＭＣＣ信号（ＩＳＤＢ−Ｔ方式のＴＭＣＣ信号）を復調して取得する。また、付加信号復調部２２は、ＩＳＤＢ−Ｔ方式で予め定められているＡＣキャリアに配置されているＡＣ信号を復調して取得する。上述したように、本実施形態においては、ＡＣキャリアには、ＩＳＤＢ−Ｔ方式のＡＣ信号と次世代方式のＴＭＣＣ信号とが含まれる。したがって、付加信号復調部２２は、ＩＳＤＢ−Ｔ方式のＡＣ信号および次世代方式のＴＭＣＣ信号を取得する。
【００６９】
付加信号復調部２２は、取得したＩＳＤＢ−Ｔ方式のＴＭＣＣ信号を、ＩＳＤＢ−Ｔキャリア復調部２６およびＩＳＤＢ−Ｔ誤り訂正復号部２７に出力する。また、付加信号復調部２２は、取得した次世代方式のＴＭＣＣ信号を、レベル調整部２５、レベル調整部３１、新規放送キャリア復調部３２および新規放送誤り訂正復号部３３に出力する。
【００７０】
伝搬路推定部２３は、ＯＦＤＭ復調部２１から出力された信号に含まれるパイロット信号に基づき伝搬路応答を推定し、推定結果を等化部２４に出力する。
【００７１】
等化部２４は、伝搬路応答の推定結果を用いて、ＯＦＤＭ復調部２１から出力された信号の伝搬路歪を補正する等化処理を行い、等化処理後の信号をレベル調整部２５に出力する。
【００７２】
レベル調整部２５は、付加信号復調部２２から出力された次世代方式のＴＭＣＣ信号に示される第１の放送信号と第２の放送信号との電力比に基づき、等化部２４から出力された信号の電力レベルを調整する。具体的には、レベル調整部２５は、送信装置１０のレベル調整部１４による第１の放送信号に対するレベル調整を相殺するようにレベル調整を行う。レベル調整部２５は、レベル調整後の信号を、ＩＳＤＢ−Ｔキャリア復調部２６およびＩＳＤＢ−Ｔ除去部２９に出力する。
【００７３】
ＩＳＤＢ−Ｔキャリア復調部２６は、レベル調整部２５から出力された信号に対して、付加信号復調部２２から出力されたＩＳＤＢ−Ｔ方式のＴＭＣＣ信号に示されるキャリア変調方式に対応するキャリア復調を行う。ＩＳＤＢ−Ｔキャリア復調部２６は、キャリア復調後の信号を、ＩＳＤＢ−Ｔ誤り訂正復号部２７およびＩＳＤＢ−Ｔ再変調部２８に出力する。
【００７４】
ＩＳＤＢ−Ｔ誤り訂正復号部２７は、ＩＳＤＢ−Ｔキャリア復調部２６から出力された信号に対して、付加信号復調部２２から出力されたＩＳＤＢ−Ｔ方式のＴＭＣＣ信号に示される誤り訂正符号化方式に対応する誤り訂正復号を行い、ＩＳＤＢ−Ｔコンテンツを取得する。
【００７５】
ＩＳＤＢ−Ｔ再変調部２８は、ＩＳＤＢ−Ｔキャリア復調部２６から出力された信号を、送信装置１０のＩＳＤＢ−Ｔデータキャリア信号生成部１１と同じパラメータにより再変調し、第１の放送信号のレプリカ信号を生成する。ＩＳＤＢ−Ｔ再変調部２８は、生成したレプリカ信号をＩＳＤＢ−Ｔ除去部２９に出力する。
【００７６】
ＩＳＤＢ−Ｔ除去部２９は、レベル調整部２５から出力された信号から、ＩＳＤＢ−Ｔ再変調部２８から出力されたレプリカ信号を除去する。こうすることで、ＩＳＤＢ−Ｔ除去部２９は、第２の放送信号に対応する信号を抽出することができる。ＩＳＤＢ−Ｔ除去部２９は、レプリカ信号の除去後の信号をレベル調整部３１に出力する。
【００７７】
レベル調整部３１は、付加信号復調部２２から出力された次世代方式のＴＭＣＣ信号に示される電力比に基づき、ＩＳＤＢ−Ｔ除去部２９から出力された信号の電力レベルを調整する。具体的には、レベル調整部３１は、送信装置１０のレベル調整部１４による第２の放送信号に対するレベル調整を相殺するようにレベル調整を行う。レベル調整部３１は、レベル調整後の信号を、新規放送キャリア復調部３２に出力する。
【００７８】
新規放送キャリア復調部３２は、レベル調整部３１から出力された信号に対して、付加信号復調部２２から出力された次世代方式のＴＭＣＣ信号に示されるキャリア変調方式に対応するキャリア復調を行う。新規放送キャリア復調部３２は、キャリア復調後の信号を、新規放送誤り訂正復号部３３に出力する。
【００７９】
新規放送誤り訂正復号部３３は、新規放送キャリア復調部３２から出力された信号に対して、付加信号復調部２２から出力された次世代方式のＴＭＣＣ信号に示される誤り訂正符号化方式に対応する誤り訂正復号を行い、新規放送コンテンツを取得する。
【００８０】
図９は、本発明の一実施形態に係る受信装置２０の他の構成例を示す図である。図９に示す受信装置２０は、統合復調方式を用いてＬＤＭにより多重された信号を復調するものである。図９において、図８と同様の構成については同じ符号を付し、説明を省略する。
【００８１】
図９に示す受信装置２０は、ＯＦＤＭ復調部２１と、付加信号復調部２２と、伝搬路推定部２３と、等化部２４と、ＩＳＤＢ−Ｔ誤り訂正復号部２７と、新規放送誤り訂正復号部３３と、参照信号生成部３４と、キャリア復調部３５とを備える。すなわち、図９に示す受信装置２０は、図８に示す受信装置２０と比較して、レベル調整部２５、ＩＳＤＢ−Ｔキャリア復調部２６、ＩＳＤＢ−Ｔ再変調部２８、ＩＳＤＢ−Ｔ除去部２９、レベル調整部３１および新規放送キャリア復調部３２に代えて、参照信号生成部３４およびキャリア復調部３５を備える。
【００８２】
図９に示す受信装置２０においては、付加信号復調部２２は、ＩＳＤＢ−Ｔ方式のＴＭＣＣ信号を、ＩＳＤＢ−Ｔ誤り訂正復号部２７および参照信号生成部３４に出力する。また、付加信号復調部２２は、次世代方式のＴＭＣＣ信号を、新規放送誤り訂正復号部３３および参照信号生成部３４に出力する。
【００８３】
参照信号生成部３４は、第１の放送信号のキャリア変調方式の各信号点と、第２の放送信号のキャリア変調方式の各信号点とを合成した参照信号を生成し、キャリア復調部３５に出力する。すなわち、参照信号生成部３４は、第１の放送信号のキャリア変調方式の各信号点と、第２の放送信号のキャリア変調方式の各信号点とからとり得る全ての信号点を参照信号として生成する。
【００８４】
図１０は、参照信号生成部３４の構成例を示す図である。
【００８５】
図１０に示す参照信号生成部３４は、信号変調部３４１，３４２と、レベル調整部３４３，３４４と、合成部３４５とを備える。
【００８６】
信号変調部３４１は、ＩＳＤＢ−Ｔ方式のＴＭＣＣ信号に示される、第１の放送信号のキャリア変調方式（ＩＳＤＢ−Ｔ方式におけるデータキャリア信号のキャリア変調方式）で取り得る全ての信号点の信号をレベル調整部３４３に出力する。
【００８７】
信号変調部３４２は、次世代方式のＴＭＣＣ信号に示される、第２の放送信号のキャリア変調方式（次世代方式におけるデータキャリア信号のキャリア変調方式）で取り得る全ての信号点の信号をレベル調整部３４４に出力する。
【００８８】
レベル調整部３４３は、次世代方式のＴＭＣＣ信号に示される、第１の放送信号と第２の放送信号との電力比に基づき、信号変調部３４１から出力された信号の電力レベルを調整する。具体的には、レベル調整部３４３は、送信装置１０のレベル調整部１４による第１の放送信号に対するレベル調整と同様に、信号変調部３４１から出力された信号の電力レベルを調整する。レベル調整部３４３は、レベル調整後の信号を合成部３４５に出力する。
【００８９】
レベル調整部３４４は、次世代方式のＴＭＣＣ信号に示される、第１の放送信号と第２の放送信号との電力比に基づき、信号変調部３４２から出力された信号の電力レベルを調整する。具体的には、レベル調整部３４４は、送信装置１０のレベル調整部１４による第２の放送信号に対するレベル調整と同様に、信号変調部３４２から出力された信号の電力レベルを調整する。レベル調整部３４４は、レベル調整後の信号を合成部３４５に出力する。
【００９０】
合成部３４５は、レベル調整部３４３から出力された各信号に、レベル調整部３４４から出力された全信号を重畳させて合成し、参照信号としてキャリア復調部３５に出力する。
【００９１】
図９を再び参照すると、キャリア復調部３５は、等化部２４による等化処理後の受信信号に対して、参照信号生成部３４から出力された参照信号を用いてキャリア復調を行う。図１１は、キャリア復調部３５の構成例を示す図である。
【００９２】
図１１に示すキャリア復調部３５は、尤度生成部３５１と、尤度分離部３５２とを備える。
【００９３】
尤度生成部３５１は、参照信号生成部３４から出力された参照信号に基づき、全ての参照点（とり得る全ての信号点）から受信信号の信号点までのユークリッド距離を算出し、算出したユークリッド距離に基づき、全ての参照点について尤度を算出する。
【００９４】
尤度分離部３５２は、尤度生成部３５１により算出された尤度が最も高い参照点から、ＩＳＤＢ−Ｔ方式のデータ信号に対応するビットと次世代方式のデータ信号に対応するビットとを分離する。そして、尤度分離部３５２は、ＩＳＤＢ−Ｔ方式のデータ信号に対応するビットをＩＳＤＢ−Ｔ誤り訂正復号部２７に出力し、次世代方式のデータ信号に対応するビットを新規放送誤り訂正復号部３３に出力する。
【００９５】
次に、図８および図９に示す付加信号復調部２２の構成について説明する。図１２は、付加信号復調部２２の構成例を示す図である。
【００９６】
図１２に示す付加信号復調部２２は、ＴＭＣＣ信号復調部２２１と、ＡＣ信号復調部２２２とを備える。
【００９７】
ＴＭＣＣ信号復調部２２１は、ＯＦＤＭ復調部２１から出力された受信信号におけるＴＭＣＣキャリアに配置されているＴＭＣＣ信号（ＩＳＤＢ−Ｔ方式のＴＭＣＣ信号）を復調して取得する。
【００９８】
ＡＣ信号復調部２２２は、ＯＦＤＭ復調部２１から出力された受信信号におけるＡＣキャリアに配置されているＡＣ信号を復調して取得する。上述したように、ＡＣキャリアに配置されているＡＣ信号には、ＩＳＤＢ−Ｔ方式のＡＣ信号と次世代方式のＴＭＣＣ信号とが含まれる。ＡＣ信号復調部２２２は、ＩＳＤＢ−Ｔ方式のＡＣ信号および次世代方式のＴＭＣＣ信号を取得する。
【００９９】
図１３は、ＡＣ信号復調部２２２の構成例を示す図である。
【０１００】
図１３に示すＡＣ信号復調部２２２は、ＤＱＰＳＫ復調部２２２１，２２２４と、差集合巡回復号部２２２２と、信号抽出部２２２３，２２２５とを備える。ＤＱＰＳＫ復調部２２２１、差集合巡回復号部２２２２および信号抽出部２２２３は、セグメント番号０のセグメントに対応して設けられている。また、ＤＱＰＳＫ復調部２２２４および信号抽出部２２２５は、セグメント番号０以外のセグメントに対応して設けられている。
【０１０１】
ＤＱＰＳＫ復調部２２２１は、ＯＦＤＭ復調部２１から出力された受信信号におけるＡＣキャリアに配置されているＡＣ信号に対して、ＤＱＰＳＫ方式によるキャリア復調を行い、キャリア復調後の信号を差集合巡回復号部２２２２に出力する。
【０１０２】
差集合巡回復号部２２２２は、ＤＱＰＳＫ復調部２２２１から出力された信号に対して、差集合巡回復号を行い、差集合巡回復号後の信号を信号抽出部２２２３に出力する。
【０１０３】
信号抽出部２２２３は、差集合巡回復号部２２２２から出力された信号から、セグメント番号０のセグメントのＡＣキャリアに配置されている信号を、ＩＳＤＢ−Ｔ方式のＡＣ信号として抽出する。
【０１０４】
ＤＱＰＳＫ復調部２２２４は、ＯＦＤＭ復調部２１から出力された受信信号におけるＡＣキャリアに配置されているＡＣ信号に対して、ＤＱＰＳＫ方式によるキャリア復調を行い、キャリア復調後の信号を信号抽出部２２２５に出力する。
【０１０５】
信号抽出部２２２５は、ＤＱＰＳＫ復調部２２２４から出力された信号から、セグメント番号０以外のセグメントのＡＣキャリアに配置されている信号を、次世代方式のＴＭＣＣ信号として抽出する。
【０１０６】
次に、次世代方式のＴＭＣＣ信号の構成例について説明する。上述したように、ＩＳＤＢ−Ｔ方式では、セグメント番号０以外のセグメントでは地震動警報情報が送信されず、ＡＣ信号のビットＢ４〜Ｂ２０３が空き領域となっている。以下では、この空き領域に、次世代方式におけるＴＭＣＣ信号を割り当てる場合の、次世代方式のＴＭＣＣ信号の構成例について説明する。
【０１０７】
まず、次世代放送が階層構造を有さない（階層伝送（周波数方向の階層伝送）を行わない）場合の、次世代方式のＴＭＣＣ信号の構成例について、図１４Ａ〜図１４Ｈを参照して説明する。次世代放送において階層伝送が行われない場合、次世代方式のＴＭＣＣ信号には、同期信号、伝送パラメータ切り替え指標、次世代方式のデータ信号の伝送パラメータに関する情報（次世代信号伝送パラメータ情報）、ＦＥＣブロックポインタ、および、第１の放送信号と第２の放送信号との電力比を示す電力比情報が含まれる。伝送パラメータ切り替え指標は、伝送パラメータの切り替えのタイミングを示す指標である。次世代信号伝送パラメータ情報には、次世代方式のデータ信号のキャリア変調、コンスタレーション識別、誤り訂正符号長およびＬＤＰＣ（Low Density Parity check Code）符号化率が含まれる。
【０１０８】
次世代放送が階層構造を有さない場合、次世代方式のＴＭＣＣ信号は、例えば、図１４Ａに示すように、同期信号にビットＢ4〜Ｂ16の１３ビットが割り当てられ、伝送パラメータ切り替え指標にビットＢ17〜Ｂ21の５ビットが割り当てられ、次世代信号伝送パラメータ情報にビットＢ22〜Ｂ31の１０ビットが割り当てられ、ＦＥＣブロックポインタにビットＢ32〜Ｂ49の１８ビットが割り当てられ、電力比情報にビットＢ50〜Ｂ55の６ビットが割り当てられた構成を有する。同期信号は、ＩＳＤＢ-Ｔ方式のＴＭＣＣ信号に含まれる同期信号と共通の信号である。ビットＢ56〜Ｂ203はリザーブ領域である。
【０１０９】
次世代信号伝送パラメータ情報は、例えば、図１４Ｂに示すように、キャリア変調にビットＢ22〜Ｂ24の３ビットが割り当てられ、コンスタレーション識別にビットＢ25の１ビットが割り当てられ、誤り訂正符号長にビットＢ26〜Ｂ27の２ビットが割り当てられ、ＬＤＰＣ符号化率にビットＢ28〜Ｂ31の４ビットが割り当てられた構成を有する。
【０１１０】
次世代方式のキャリア変調方式としては、例えば、ＱＰＳＫ，１６ＱＡＭ，６４ＱＡＭ，２５６ＱＡＭ，１０２４ＱＡＭ，４０９６ＱＡＭが用いられることが考えられる。各キャリア変調に、図１４Ｃに示すように、「０００」〜「１０１」の３ビットを割り当てることで、各キャリア変調方式を識別することができる。キャリア変調方式が割り当てられない「１１０」，「１１１」は、リザーブ領域となる。
【０１１１】
次世代方式では、例えば、信号点が均一に配置された均一コンスタレーション、および、信号点が不均一に配置された不均一コンスタレーションを用いることが考えられる。均一コンスタレーション、不均一コンスタレーションそれぞれに、図１４Ｄに示すように、「０」，「１」の１ビットを割り当てることで、均一コンスタレーションが用いられるか、不均一コンスタレーションが用いられるかを識別することができる。
【０１１２】
次世代方式の誤り訂正符号長としては、例えば、Ｓｈｏｒｔ，Ｍｉｄｄｌｅ，Ｌｏｎｇの３種類の符号長が用いられることが考えられる。各誤り訂正符号長に、図１４Ｅに示すように、「００」，「０１」，「１０」の２ビットを割り当てることで、各誤り訂正符号長を識別することができる。誤り訂正符号長が割り当てられない「１１」は、リザーブ領域となる。
【０１１３】
次世代方式では、ＬＤＰＣ符号化率として、例えば、２／１６，３／１６，４／１６，・・・１４／１６が用いられることが考えられる。各ＬＤＰＣ符号化率に、図１４Ｆに示すように、「００００」〜「１１００」の４ビットを割り当てることで、各ＬＤＰＣ符号化率を識別することができる。ＬＤＰＣ符号化率が割り当てられない「１１０１」−「１１１１」は、リザーブ領域となる。
【０１１４】
ＦＥＣブロックポインタは、１ＯＦＤＭフレーム内にＬＤＰＣ符号ブロックがちょうど整数個入るような信号構造でない場合に、１ＯＦＤＭフレーム内においてＬＤＰＣ符号ブロックの先頭位置（ビットまたはキャリア番号）を指し示す情報である。図１４Ｇに示すように、例えば、符号長が２＾１８以下のＬＤＰＣ符号に対応する場合には、１８ビットで示される。ただし、１ＯＦＤＭフレーム内にＬＤＰＣ符号ブロックがちょうど整数個入るような信号構造である場合には、ＦＥＣブロックポインタは不要である。
【０１１５】
電力比情報では、図１４Ｈに示すように、０ｄＢから３０ｄＢまでの各電力比に、「００００００」−「０１１１１０」の６ビットが割り当てられる。電力比が割り当てられない「０１１１１１」−「１１１１１１」はリザーブ領域となる。
【０１１６】
図１４Ａ〜図１４Ｈを参照して説明したように、次世代放送が階層構造を有さない場合、次世代方式のＴＭＣＣ信号は、ビットＢ４〜Ｂ５５に割り当て可能である。すなわち、次世代放送が階層構造を有さない場合、次世代方式のＴＭＣＣ信号は、１本のＡＣキャリアに割り当て可能である。
【０１１７】
次に、次世代放送が階層構造を有する（Ａ階層およびＢ階層からなる階層伝送を行う）場合の、次世代方式のＴＭＣＣ信号の構成例について、図１５Ａおよび図１５Ｂを参照して説明する。なお、各セグメントにおける第１の放送信号と第２の放送信号との電力比は一定であるとする。
【０１１８】
次世代放送が階層構造を有する場合、次世代方式のＴＭＣＣ信号は、例えば、図１５Ａに示すように、同期信号にビットＢ4〜Ｂ16の１３ビットが割り当てられ、伝送パラメータ切り替え指標にビットＢ17〜Ｂ21の５ビットが割り当てられ、次世代Ａ階層伝送パラメータ情報にビットＢ22〜Ｂ35の１４ビットが割り当てられ、次世代Ａ階層ＦＥＣブロックポインタにビットＢ36〜Ｂ53の１８ビットが割り当てられ、次世代Ｂ階層伝送パラメータ情報にビットＢ54〜Ｂ67の１４ビットが割り当てられ、次世代Ｂ階層ＦＥＣブロックポインタにビットＢ68〜Ｂ85の１８ビットが割り当てられ、部分受信フラグにビットＢ86の１ビットが割り当てられ、電力比情報にビットＢ87〜Ｂ92の６ビットが割り当てられた構成を有する。ビットＢ93〜Ｂ203はリザーブ領域である。
【０１１９】
次世代Ａ階層伝送パラメータ情報は、次世代方式のＡ階層における伝送パラメータ情報であり、次世代Ｂ階層伝送パラメータ情報は、次世代方式のＢ階層における伝送パラメータ情報である。次世代Ａ階層ＦＥＣブロックポインタは、次世代方式のＡ階層におけるＦＥＣブロックポインタであり、次世代Ｂ階層ＦＥＣブロックポインタは、次世代方式のＢ階層におけるＦＥＣブロックポインタである。
【０１２０】
部分受信フラグは、次世代方式において、部分受信（移動受信端末向けの放送）が行われているか否かを示す情報であり、１ビット（「１」または「０」）で、部分受信が行われているか、部分受信が行われていないかを示す。
【０１２１】
各階層の伝送パラメータ情報（次世代Ａ階層伝送パラメータ情報、次世代Ｂ階層伝送パラメータ情報）は、例えば、図１５Ｂに示すように、キャリア変調方式にビットＢ22〜Ｂ24の３ビットが割り当てられ、コンスタレーション識別にビットＢ25の１ビットが割り当てられ、誤り訂正符号長にビットＢ26〜Ｂ27の２ビットが割り当てられ、ＬＤＰＣ符号化率にビットＢ28〜Ｂ31の４ビットが割り当てられ、セグメント数にビットＢ32〜Ｂ35の４ビットが割り当てられた構成を有する。
【０１２２】
図１５Ｂに示す伝送パラメータ情報において、キャリア変調方式、コンスタレーション識別、誤り訂正符号長およびＬＤＰＣ符号化率に対するビット割り当ては、階層伝送が行われない場合（図１４Ｃ〜図１４Ｆ）と同様であるため、説明を省略する。セグメント数は、各階層に割り当てられたセグメントの数を４ビットで示す。
【０１２３】
なお、図１５Ａに示す次世代方式のＴＭＣＣ信号のその他の構成は、次世代放送が階層構造を有さない場合と同様であるため、説明を省略する。
【０１２４】
図１５Ａ〜図１５Ｂを参照して説明したように、次世代放送が階層構造を有する場合、次世代方式のＴＭＣＣ信号は、ビットＢ4〜Ｂ92に割り当て可能である。すなわち、次世代放送が階層構造を有する場合にも、次世代方式のＴＭＣＣ信号は、１本のＡＣキャリアに割り当て可能である。
【０１２５】
次に、次世代放送が階層構造を有し、セグメントごとに第１の放送信号と第２の放送信号との電力比が調整可能である場合の、次世代方式のＴＭＣＣ信号の構成例について、図１６を参照して説明する。図１６では、上述したように、第１の放送信号および第２の放送信号の周波数帯域が、１３のセグメント（セグメント番号０〜セグメント番号１２のセグメント）に分割される例を用いて説明する。
【０１２６】
次世代放送が階層構造を有し、セグメントごとに電力比が調整可能である場合、次世代方式のＴＭＣＣ信号は、例えば、図１６に示すように、同期信号にビットＢ4〜Ｂ16の１３ビットが割り当てられ、伝送パラメータ切り替え指標にビットＢ17〜Ｂ21の５ビットが割り当てられ、次世代Ａ階層伝送パラメータ情報にビットＢ22〜Ｂ35の１４ビットが割り当てられ、次世代Ａ階層ＦＥＣブロックポインタにビットＢ36〜Ｂ53の１８ビットが割り当てられ、次世代Ｂ階層伝送パラメータ情報にビットＢ54〜Ｂ67の１４ビットが割り当てられ、次世代Ｂ階層ＦＥＣブロックポインタにビットＢ68〜Ｂ85の１８ビットが割り当てられ、部分受信フラグにビットＢ86の１ビットが割り当てられ、セグメントごとの電力比情報にビットＢ87〜Ｂ164の７８ビットが割り当てられた構成を有する。ビットＢ165〜Ｂ203はリザーブ領域である。セグメントごとの電力比情報は、図１４Ｈと同様に、６ビットで示される。
【０１２７】
なお、図１６示す次世代方式のＴＭＣＣ信号のその他の構成は、次世代放送が階層構造を有し、セグメントごとの電力比が一定である場合と同様であるため、説明を省略する。
【０１２８】
図１６を参照して説明したように、次世代放送が階層構造を有し、セグメントごとに電力比が調整可能である場合、次世代方式のＴＭＣＣ信号は、ビットＢ4〜Ｂ164に割り当て可能である。すなわち、次世代放送が階層構造を有し、セグメント毎に電力が調整可能である場合にも、次世代方式のＴＭＣＣ信号は、１本のＡＣキャリアに割り当て可能である。
【０１２９】
次世代方式のＴＭＣＣ信号を１本のＡＣキャリアに割り当て可能な場合、ＯＦＤＭフレーム構成部１６は、次世代方式のＴＭＣＣ信号を、２以上のＡＣキャリアに割り当ててもよい。同じ情報を異なるＡＣキャリア（異なる周波数帯域）で伝送することで、ダイバーシティ効果により、次世代方式のＴＭＣＣ信号の受信特性の向上を図ることができる。
【０１３０】
このように本実施形態においては、送信装置１０は、ＩＳＤＢ−Ｔ方式（第１の方式）により送信されるデータ信号から第１の放送信号を生成するＩＳＤＢ−Ｔデータキャリア信号生成部１１（第１の信号生成部）と、次世代方式（第２の方式）により送信されるデータ信号から、第１の放送信号と同じ周波数帯域の第２の放送信号を生成する新規放送データキャリア信号生成部１２（第２の信号生成部）と、次世代方式によるデータ信号の送信に関する制御信号を生成する付加信号生成部１３（第３の信号生成部）とを備える。また、送信装置１０は、第２の放送信号の電力レベルが、第１の放送信号の電力レベルよりも低くなるように、第１の放送信号および第２の放送信号の電力レベルを調整するレベル調整部１４と、電力レベルの調整後の第１の放送信号と第２の放送信号とを合成する合成部１５とを備える。また、送信装置１０は、合成後の信号と、付加信号生成部１３により生成された制御信号とを用いてＯＦＤＭフレームを構成するＯＦＤＭフレーム構成部１６と、ＯＦＤＭフレームをＯＦＤＭ変調して送信するＯＦＤＭ変調部１７とを備える。ここで、ＯＦＤＭフレーム構成部１６は、ＩＳＤＢ−Ｔ方式において付加的な情報を伝送するＡＣキャリアに制御信号を割り当てる。
【０１３１】
ＩＳＤＢ−Ｔ方式におけるＡＣキャリアには空き領域が存在する。この空き領域に次世代方式のデータ信号の送信に関する制御信号を割り当てることで、現行放送への影響を抑制しつつ、次世代方式のデータ信号の送信に関する制御信号を伝送することができる。
【０１３２】
なお、本実施形態では、送信装置１０および受信装置２０の構成および動作について説明したが、本発明はこれに限られず、第１の方式の信号と、第２の方式の信号とを多重して送信する送信方法、第１の方式の信号と、第２の方式の信号とを多重して送信された信号を受信する受信方法として構成されてもよい。
【０１３３】
また、実施形態では特に触れていないが、送信装置１０および受信装置２０が行う各処理をコンピュータに実行させるプログラムが提供されてもよい。また、プログラムは、コンピュータ読取り可能媒体に記録されていてもよい。コンピュータ読取り可能媒体を用いれば、コンピュータにインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭ、ＤＶＤ−ＲＯＭなどの記録媒体であってもよい。
【０１３４】
あるいは、送信装置１０および受信装置２０が行う各処理を実行するためのプログラムを記憶するメモリ、および、メモリに記憶されたプログラムを実行するプロセッサによって構成され、送信装置１０および受信装置２０に搭載されるチップが提供されてもよい。
【０１３５】
上述の実施形態は代表的な例として説明したが、本発明の趣旨および範囲内で、多くの変更および置換が可能であることは当業者に明らかである。したがって、本発明は、上述の実施形態によって制限するものと解するべきではなく、特許請求の範囲から逸脱することなく、種々の変形および変更が可能である。例えば、実施形態の構成図に記載の複数の構成ブロックを１つに組み合わせたり、あるいは１つの構成ブロックを分割したりすることが可能である。
【符号の説明】
【０１３６】
１０                送信装置
１１                ＩＳＤＢ−Ｔデータキャリア信号生成部（第１の信号生成部）
１２                新規放送データキャリア信号生成部（第２の信号生成部）
１３                付加信号生成部（第３の信号生成部）
１４                レベル調整部
１５                合成部
１６                ＯＦＤＭフレーム構成部
１７                ＯＦＤＭ変調部
１１１ａ，１１１ｂ  誤り訂正符号化部
１１２ａ，１１２ｂ  キャリア変調部
１１３              帯域合成インターリーブ部
１３１              ＴＭＣＣ情報ビット生成部
１３２              同期ビット生成部
１３３              ＴＭＣＣ信号生成部
１３４              パイロット信号生成部
１３５              ＡＣ信号生成部
１３５１，１３５４  ＡＣ情報ビット生成部
１３５２            差集合巡回符号化部
１３５３，１３５５  ＤＱＰＳＫ変調部
２０                受信装置
２１                ＯＦＤＭ復調部
２２                付加信号復調部
２２１              ＴＭＣＣ信号復調部
２２２              ＡＣ信号復調部
２２２１，２２２４  ＤＱＰＳＫ復調部
２２２２            差集合巡回復号部
２２２３，２２２５  信号抽出部
２３                伝搬路推定部
２４                等化部
２５                レベル調整部
２６                ＩＳＤＢ−Ｔキャリア復調部
２７                ＩＳＤＢ−Ｔ誤り訂正復号部
２８                ＩＳＤＢ−Ｔ再変調部
２９                ＩＳＤＢ−Ｔ除去部
３１                レベル調整部
３２                新規放送キャリア復調部
３３                新規放送誤り訂正復号部
３４                参照信号生成部
３４１，３４２      信号変調部
３４３，３４４      レベル調整部
３４５              合成部
３５                キャリア復調部
３５１              尤度生成部
３５２              尤度分離部
【図１】
2020167678.tif 000003
【図２】
2020167678.tif 000004
【図３】
2020167678.tif 000005
【図４】
2020167678.tif 000006
【図５】
2020167678.tif 000007
【図６】
2020167678.tif 000008
【図７】
2020167678.tif 000009
【図８】
2020167678.tif 000010
【図９】
2020167678.tif 000011
【図１０】
2020167678.tif 000012
【図１１】
2020167678.tif 000013
【図１２】
2020167678.tif 000014
【図１３】
2020167678.tif 000015
【図１４Ａ】
2020167678.tif 000016
【図１４Ｂ】
2020167678.tif 000017
【図１４Ｃ】
2020167678.tif 000018
【図１４Ｄ】
2020167678.tif 000019
【図１４Ｅ】
2020167678.tif 000020
【図１４Ｆ】
2020167678.tif 000021
【図１４Ｇ】
2020167678.tif 000022
【図１４Ｈ】
2020167678.tif 000023
【図１５Ａ】
2020167678.tif 000024
【図１５Ｂ】
2020167678.tif 000025
【図１６】
2020167678.tif 000026